【手続補正書】
【提出日】平成20年6月16日(2008.6.16)
【手続補正１】
【補正対象書類名】特許請求の範囲
【補正対象項目名】全文
【補正方法】変更
【補正の内容】
【特許請求の範囲】
【請求項１】
記憶性液晶によって構成される表示画面と、
所定の数ごとに表示項目を表示するページ画像を生成し、該ページ画像に表示される表示項目を指し示すカーソル画像と共に前記表示画面に表示させるページ表示手段と、
前記ページ表示手段によって生成されたページ画像が前記表示画面に複数同時に表示される場合、前記ページ画像の境界を示すボーダ画像を生成し、前記ページ画像と共に前記表示画面に表示させるボーダ表示手段と、を備え、
前記ボーダ表示手段は、前記ボーダ画像の形状を、前記カーソルの表示位置と前記ボーダ画像の表示位置とに応じて変更することを特徴とする画像表示装置。
【請求項２】
前記ボーダ画像が前記ページ画像の少なくとも２つのスクロール方向のうちの一つを示すマーカを含み、前記ボーダ表示手段は、前記スクロール方向のうち、前記ページ画像をスクロールするために要する前記カーソルの移動距離がより少ないスクール方向を示すマーカを含むボーダ画像を表示することを特徴とする請求項１に記載の画像表示装置。
【請求項３】
前記ボーダ表示手段は、前記ページ画像における前記カーソルの移動距離を、前記ページ画像の先頭に表示された表示項目と最後に表示された表示項目とが連続する位置にあるものとして決定することを特徴とする請求項１または請求項２に記載の画像表示装置。
【請求項４】
前記ボーダ表示手段は、前記カーソルの表示位置と前記ボーダ画像の表示位置とが所定の距離より短い場合または離れている場合、前記カーソルの表示位置と前記ボーダ画像の表示位置との上下に応じて予め設定されている一のスクール方向を示すマーカを含むボーダ画像を表示することを特徴とする請求項２または３に記載の画像表示装置。
【請求項５】
前記ボーダ表示手段は、スクロール方向のうち少なくとも一のスクロール方向に前記カーソルが移動できなくなった場合、スクロール不可能であることを示すマーカを含むボーダ画像を表示することを特徴とする請求項１から４のいずれか１項に記載の画像表示装置。
【請求項６】
前記カーソルは、カーソルが移動可能である方向を示すマーカを含むことを特徴とする請求項１から５のいずれか１項に記載の画像表示装置。
【請求項７】
所定の数ごとに表示項目を表示するページ画像を生成し、該ページ画像に表示される表示項目を指し示すカーソルと共に記憶性液晶の表示画面に表示させるページ表示機能と、
前記ページ表示機能によって生成されたページ画像が前記表示画面に複数同時に表示される場合、前記ページ画像の境界を示すボーダ画像を生成し、前記ページ画像と共に前記表示画面に表示させるボーダ表示機能と、をコンピュータに実現させ、
前記ボーダ表示機能は、前記ボーダ画像の形状を、前記カーソルの表示位置と前記ボーダ画像の表示位置とに応じて変更することを特徴とする画像表示制御プログラム。
【手続補正２】
【補正対象書類名】明細書
【補正対象項目名】発明の名称
【補正方法】変更
【補正の内容】
【発明の名称】画像表示装置及び画像表示制御プログラム
【手続補正３】
【補正対象書類名】明細書
【補正対象項目名】０００１
【補正方法】変更
【補正の内容】
【０００１】
本発明は、画像表示装置及び画像表示制御プログラムに係り、特に表示可能なコンテンツのメニューを表示する機能を持った画像表示装置及び画像表示制御プログラムに関する。
【手続補正４】
【補正対象書類名】明細書
【補正対象項目名】０００６
【補正方法】変更
【補正の内容】
【０００６】
本発明は、このような点に鑑みてなされたものであって、記憶性液晶を使ったディスプレイにあっても充分な応答性が得られ、しかも画面に表示された表示項目の順番やさらに表示可能な表示項目を直感的に理解し易くて操作性が高い画像表示装置、画像表示制御プログラムを提供することを目的とする。
【手続補正５】
【補正対象書類名】明細書
【補正対象項目名】０００７
【補正方法】変更
【補正の内容】
【０００７】
以上の課題を解決するため、本発明の画像表示装置は、記憶性液晶によって構成される表示画面と、所定の数ごとに表示項目を表示するページ画像を生成し、該ページ画像に表示される表示項目を指し示すカーソル画像と共に前記表示画面に表示させるページ表示手段と、前記ページ表示手段によって生成されたページ画像が前記表示画面に複数同時に表示される場合、前記ページ画像の境界を示すボーダ画像を生成し、前記ページ画像と共に前記表示画面に表示させるボーダ表示手段と、を備え、前記ボーダ表示手段は、前記ボーダ画像の形状を、前記カーソルの表示位置と前記ボーダ画像の表示位置とに応じて変更す
ることを特徴とする。
【手続補正６】
【補正対象書類名】明細書
【補正対象項目名】００１３
【補正方法】変更
【補正の内容】
【００１３】
また、本発明の画像表示装置は、前記カーソルが、カーソルが移動可能である方向を示すマーカを含むことを特徴とする。
このような発明によれば、カーソル自身にマーカを付し、カーソルが移動可能である方向をユーザがいっそう判断し易くすることができる。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
また、本発明の画像表示制御プログラムは、所定の数ごとに表示項目を表示するページ画像を生成し、該ページ画像に表示される表示項目を指し示すカーソルと共に記憶性液晶の表示画面に表示させるページ表示機能と、前記ページ表示機能によって生成されたページ画像が前記表示画面に複数同時に表示される場合、前記ページ画像の境界を示すボーダ画像を生成し、前記ページ画像と共に前記表示画面に表示させるボーダ表示機能と、をコンピュータに実現させ、前記ボーダ表示機能は、前記ボーダ画像の形状を、前記カーソルの表示位置と前記ボーダ画像の表示位置とに応じて変更することを特徴とする。
【手続補正９】
【補正対象書類名】明細書
【補正対象項目名】００１６
【補正方法】変更
【補正の内容】
【００１６】
このような発明によれば、ページ画像を表示画面に複数同時に表示する場合、ページ画像の境界をボーダ画像によって示すことができる。また、ボーダ画像の形状を、カーソルの表示位置とボーダ画像の表示位置とに応じて変更することができるので、カーソルのページにおける位置をユーザが簡単に判断することができる。このため、ページ画像を部分的に書き換える構成の画像表示装置にあっても、画面に表示された表示項目の順番やさらに表示可能な他の表示項目を直感的に理解し易く、このために画像表示装置の操作性を高めることができる画像表示制御プログラムを提供することができる。
【手続補正１０】
【補正対象書類名】明細書
【補正対象項目名】００１７
【補正方法】変更
【補正の内容】
【００１７】
以下、図を参照して本発明の実施形態１、実施形態２にかかる画像表示装置、画像表示制御プログラムを説明する。
（実施形態１）
図１は、実施形態１の画像表示装置の外観を示した図である。画像表示装置は、記憶性液晶のディスプレイ１０１を有する薄型のビューアとして構成されている。画像表示装置は、ディスプレイ１０１に表示されているカーソルを移動させ、画像をスクロールする十字キー１０３、現在表示されているページを前ページまたは次ページに改ページするカーソルキー１０２ａ、１０２ｂを備えている。十字キー１０３、カーソルキー１０２ａ、１０２ｂは、指示した操作内容の確定等に使用される確定キー１０４と共に操作部１０５を構成する。
【手続補正１１】
【補正対象書類名】明細書
【補正対象項目名】００２５
【補正方法】変更
【補正の内容】
【００２５】
以上の構成は、バスによって相互に接続されていて、バスはバスコントローラ２１０によって制御されている。
以上述べた構成の画像表示装置において、実施形態１は、ディスプレイ１０１が、記憶性液晶によって構成される表示画面となる。また、ＣＰＵ２０１及び表示装置コントローラ２０４が、所定の数ごとに表示項目を表示するページ画像を生成し、このページ画像に表示される表示項目を指し示すカーソルと共にディスプレイ１０１に表示させるページ表示手段として機能する。
【手続補正１２】
【補正対象書類名】明細書
【補正対象項目名】００４３
【補正方法】変更
【補正の内容】
【００４３】
ボーダラインが表示されていなければ（ステップＳ１００２：Ｎｏ）、先頭のメニューは、メニュー画面のボーダラインよりも上の領域（メニュー画面上側）のページに属しているので、先頭メニューの番号からページ番号ｎｐ（ｎｅｘｔ  ｐａｇｅ  ｎｕｍｂｅｒ）を求める（ステップＳ１００４）。ステップＳ１００４で得られたページ番号ｎｐは、メモリ２０６に格納される。また、ｎｐから１を引いた値は、変数ｐｐ（ｐｒｅｖｉｏｕｓ  ｐａｇｅ  ｎｕｍｂｅｒ）としてメモリ２０６に格納される（Ｓ１００６）。
一方、ステップＳ１００２おいて、先頭にボーダラインが表示されていると判断された場合（Ｓ１００２：Ｙｅｓ）、表示装置コントローラ２０４は、メニュー画面の最後のメニューのメニュー番号を取得し、取得されたメニュー番号からページ番号を求める（ステップＳ１００３）。ページ番号は、変数ｐｐとしてメモリ２０６に格納される。また、変数ｐｐに１を足した値は、変数ｎｐとしてメモリ２０６に格納される（ステップＳ１００５）。以上の処理により、表示されているメニューが属するページ番号が決定する。
【手続補正１３】
【補正対象書類名】明細書
【補正対象項目名】００４４
【補正方法】変更
【補正の内容】
【００４４】
次に、表示装置コントローラ２０４は、以上の処理によって得られた変数等の情報に基づいて、ボーダラインのマーカの形状を決定する。本フローチャートでは、３種の形状について説明する。３種の形状とは、「上向き」を示すマーカ、「下向き」を示すマーカ（Ｓ１００８）、マーカが下向きであり、かつメニュー画面に最後のメニューが表示されている場合に示される「×」のマーカをいう（Ｓ１０１０）。
【手続補正１４】
【補正対象書類名】明細書
【補正対象項目名】００４７
【補正方法】変更
【補正の内容】
【００４７】
図１０、１１、１２は、ボーダラインのマーカを決定する方法を説明するためのフローチャートである（図８（ステップＳ１００７）の処理）。
図１０に示したフローチャートは、ボーダラインとカーソルとの距離によってマーカを変更するための処理を説明する。このフローチャートでは、カーソルを上方向に移動した方が早くスクロールできるか、下方向に移動した方が早くスクロールできるかを判定し、判定の結果に応じてボーダラインのマーカを決定している。本実施形態では、カーソルを上方向に移動してボーダラインに近づける動作を上回りといい、カーソルを下方向に移動してボーダラインに近づける動作を下回りとも記す。
【手続補正１５】
【補正対象書類名】明細書
【補正対象項目名】００４９
【補正方法】変更
【補正の内容】
【００４９】
図１０に示したフローチャートでは、ＣＰＵ２０１が、ボーダラインの位置とカーソルの位置を取得し、それぞれを変数ｂｐ（ｂｏｒｄｅｒ  ｐｏｓｉｔｉｏｎ）と（Ｓ１２０１）、ｃｐ（ｃｕｒｓｏｒ  ｐｏｓｉｔｉｏｎ）としてメモリ２０６に格納する（Ｓ１２０２）。続いて、変数ｄ（ｄｉｓｔａｎｃｅ）に、ｃｐからｂｐを引いた値を格納し（Ｓ１２０３）、さらに、メニュー画面に表示できるメニューやボーダラインの最大数を変数ｎに格納しておく（Ｓ１２０４）。ここで、変数ｄは、１メニューを表示する領域の幅を単位として表されるものとする。
【手続補正１６】
【補正対象書類名】明細書
【補正対象項目名】００５１
【補正方法】変更
【補正の内容】
【００５１】
図１１に示したフローチャートは、ボーダラインのマーカの種類を決定する他の方法を説明するものである。このフローチャートに示した方法では、メニュー画面は環状になっていると考えたとき、ボーダラインとカーソルとの距離が所定の距離より短いまたは長ければ、ボーダラインとカーソルとの位置関係に応じて一のマーカの形状を決定する。
図１１に示したフローチャートでは、図１０に示した処理と同様に、ＣＰＵ２０１が、ボーダラインの位置とカーソルの位置を取得し、それぞれを変数ｂｐ（ｂｏｒｄｅｒ  ｐｏｓｉｔｉｏｎ）と（Ｓ１３０１）、ｃｐ（ｃｕｒｓｏｒ  ｐｏｓｉｔｉｏｎ）としてメ
モリ２０６に格納する（Ｓ１３０２）。続いて、変数ｄ（ｄｉｓｔａｎｃｅ）に、ｃｐからｂｐを引いた値を格納し（Ｓ１３０３）、メニュー画面に表示できるメニューやボーダラインの最大数を変数ｎに格納しておく（Ｓ１３０４）。
【手続補正１７】
【補正対象書類名】明細書
【補正対象項目名】００５２
【補正方法】変更
【補正の内容】
【００５２】
表示装置コントローラ２０４は、ｄが負でないか否かをチェックし（Ｓ１３０５）、ｄが負なら（Ｓ１３０５：Ｙｅｓ）、ｄにはｎからｄを引いた値をメモリに格納しておく（Ｓ１３０６）。
ｄの値が負である場合、カーソルはボーダラインより上に表示されていると考えられる。このような場合、表示装置コントローラ２０４は、マーカの向きを「上向き」に設定する（Ｓ１３０７）。また、ステップＳ１３０５において、ｄが正であると判定された場合（ステップＳ１３０５：Ｎｏ）、カーソルがボーダラインより下に表示されていると考えられるため、マーカの向きを「下向き」に設定する（Ｓ１３０８）。
【手続補正１８】
【補正対象書類名】明細書
【補正対象項目名】００５３
【補正方法】変更
【補正の内容】
【００５３】
次に、表示装置コントローラ２０４は、ｄが表示可能なメニューの数の半分（ｎ／２）を表示する距離以下であるか否かを判断する（Ｓ１３０９）。ステップＳ１３０９における２の値は、本実施形態のｎである７を３で割って得た閾値であって、本実施形態の閾値は２に限定されるものでなく、１以上ｎ／２未満であればよい。
ステップＳ１３０９の判断において、ｄが２以下であった場合（Ｓ１３０９：Ｙｅｓ）、カーソルがボーダラインの直ぐ下にあることを示すから、マーカを「上向き」に設定する（Ｓ１３１２）。一方、ｄが２を越えていた場合は（Ｓ１３０９：Ｎｏ）、ｄをｎ−２と比較する（Ｓ１３１０）。この結果、ｄがｎ−２以上である場合、本実施形態においては、カーソルがボーダラインよりも上に表示されていることを示すから、マーカを「下向き」に設定する（Ｓ１３１１）。
【手続補正１９】
【補正対象書類名】明細書
【補正対象項目名】００８９
【補正方法】変更
【補正の内容】
【００８９】
【図１】本発明の実施形態１、実施形態２の画像表示装置の外観を示した図である。
【図２】本発明の実施形態１、実施形態２のメニュー画面の一例を示した図である。
【図３】図１に示した画像表示装置のブロック図である。
【図４】ディスプレイ及び表示装置コントローラの構成をより詳細に説明するための図である。
【図５】図４に示した電極とラインとの関係を説明するための図である。
【図６】本発明の実施形態１のボーダラインを説明するための図である。
【図７】本発明の実施形態１のカーソルを説明するための図である。
【図８】実施形態１のボーダラインの形状を自動的に変化させるための基本的な処理を説明するためのフローチャートである。
【図９】実施形態１のページ番号算出の処理を説明するためのフローチャートである。
【図１０】ボーダラインのマーカを決定する方法を説明するためのフローチャートである。
【図１１】ボーダラインのマーカを決定する方法を説明するための他のフローチャートである。
【図１２】ボーダラインのマーカを決定する方法を説明するための他のフローチャートである。
【図１３】図７に示したカーソルのマーカを表示する処理を説明するためのフローチャートである。
【図１４】本発明の実施形態２のタブ形式のボーダラインを説明するための図である。
【図１５】本発明の実施形態２の他のタブ形式のボーダラインを説明するための図である。
【図１６】本発明の実施形態２のタブ型のボーダラインを生成する処理を説明するためのフローチャートである。
【図１７】本発明の実施形態２の２枚タブ型のボーダラインを生成する処理を説明するためのフローチャートである。
【図１８】図１７のフローチャートに記した１ページ目のタブ画像を示す図である。
【図１９】本発明の実施形態２の４枚タブ型のボーダラインを生成する処理を説明するためのフローチャートである。
【図２０】図１９に示したステップＳ１９０５の処理を説明するためのフローチャートである。
【図２１】図２０のフローチャートに記した２枚型ボーダライン背景を示す図である。
【図２２】図１９に示したステップＳ１９１０の処理を説明するためのフローチャートである。
【図２３】図２２のフローチャートに記した３枚型ボーダライン背景を示す図である。
【図２４】図１９に示したステップＳ１９１２の処理を説明するためのフローチャートである。
【図２５】図２４のフローチャートに記した４枚型ボーダライン背景を示す図である。
【図２６】本発明の実施形態２のタブを塗り分ける処理を説明するためのフローチャートである。
【図２７】本発明の実施形態２のタブを塗り分ける他の処理を説明するためのフローチャートである。
【手続補正２０】
【補正対象書類名】図面
【補正対象項目名】図２
【補正方法】変更
【補正の内容】
【図２】
2007003754.tif 000001